(57)【要約】【課題】  包装材内部への光の入射量を高めて、商品の顧客吸引力を向上させることができる包装材および投光装置を提供する。【解決手段】  包装材の底部が光を透過可能な部材をから成り、さらにこれと投光装置を併用する。容器または内容物の少なくとも一方を透明とした場合には、さらに効果を向上させることができる。【選択図】    図１
0003103333.tif 000002
【実用新案登録請求の範囲】
【請求項１】
包装材の底部が光を透過可能な部材から成ることを特徴とする包装材およびこれと併用する投光装置
【請求項２】
容器または内容物の少なくとも一方が透明である被包装物を包装することを特徴とする、請求項１に記載の包装材およびこれと併用する投光装置
【考案の詳細な説明】
【技術分野】
【０００１】
この考案は、例えば芳香剤や化粧品等を収容するために使用される包装材およびこれらを展示する場合に使用する投光装置に関するものである。
【背景技術】
【０００２】
従来、芳香剤や化粧品を収容する容器としては、ガラスや合成樹脂製の容器が使用されている。容器の外観には種々の意匠上の工夫が施されていることから、商品が販売目的で展示される場合であっても、外部から容器を可視可能とする目的で様々な包装材が提案されている。
【考案の開示】
【考案が解決しようとする課題】
【０００３】
ところが、包装材は商品以外にも商品に添付される書面を内包したり、包装材自体に商品の特徴や説明および法令上必要な表示が印刷されている。このため、たとえ包装材が透明な素材であっても、その一部は光を透過することができない状態となり、包装材内部に入射する光が減少し、結果として包装材内部の商品を可視可能とし商品の顧客吸引力を向上させる効果が減縮している。
【０００４】
この考案は、上記のような従来技術に存在する問題点に着目してなされたものである。その目的とするところは、包装材内部への光の入射量を高めて商品の顧客吸引力を向上させることができる包装材および投光装置を提供することにある。
【課題を解決するための手段】
【０００５】
上記の目的を達成するために、請求項１に記載の考案では、包装材の底部が光を透過可能な部材から成り、さらにこれと投光装置を併用する。
請求項２に記載の考案では、容器または内容物の少なくとも一方が透明である被包装物の包装において、包装材の底部が光を透過可能な部材から成り、さらにこれと投光装置を併用する。
【考案の効果】
【０００６】
本考案の包装材は、包装材の底部が光を透過可能な部材から成るため、これと投光装置を併用することにより、包装材内部への光の入射量を高めて商品の顧客吸引力を向上させることができる。
【考案を実施するための最良の形態】
【０００７】
以下にこの発明を具体化した一実施形態に基づいて詳細に説明する。
【実施例１】
【０００８】
図２に示すように、包装材１は、樹脂製の組立可能な箱状包装材であり、内容物を収納することができる。包装材底部２は、光を透過可能な部材から成り、商品の収納時に商品固定皿３などが必要な場合には、これらも光を透過可能な部材から成る。
本実施例では、包装材に芳香剤４が収納されている。芳香剤の本体は透明なガラスビン５であり、さらにその中には透明な液体芳香剤原液６が収容されている。
一方、図３には、投光装置が図示されている。投光装置７は樹脂製外板８により覆われており、中には光源が備えられている。本投光装置では、装置上部へ投光するために、樹脂製外板の上面が透明となっている。
【０００９】
本実施例の使用状態が、図１に示されている。商品を収納した包装材は、投光装置上に配置される形で展示される。光源の電源スイッチが入ると、光源から発生した光は投光装置の樹脂製外板、包装材底部および固定皿の順に通過し、上部に置かれた包装材に収容された芳香剤を照らし出す。
容器であるガラスビン５と内容物である液体芳香剤原液６が共に透明である場合には、光源から発射された光は、芳香剤の内部まで入射するため、より一層効果的に芳香剤を際だたせることができる。
【００１０】
なお、本考案においては、包装材およびこれと併用する投光装置を次のように変更して構成することもできる。
・包装材の底部以外の部位の一部を透明または不透明とすることにより、効果的に被包装物を視認させたり、文字や意匠を光により浮かび上がらせること。
・複数の包装材を上部に配置できるよう、投光装置の大きさや形状を変更すること。
・光源を、蛍光灯、発光ダイオード、白熱電球等の内から選ばれる少なくとも一つのものに変更すること。
・投光装置の樹脂製外板をガラス製に変更したり、着色したりして光の質を変化させること。
・光源の電源として、電池を使用すること。
・電源と光源の間にリレー、タイマーまたはプログラム制御可能なスイッチ等を配し、光源の発光時間、発光間隔または複数の光源間の発光順等を制御すること。
【００１１】
また、本考案においては、被包装物である容器または内容物を次のように変更して構成することもできる。
・容器または内容物の少なくとも一方のうち、その一部を不透明とすることにより、文字や意匠を光により浮かび上がらせること。
・容器または内容物の少なくとも一方のうち、その一部を着色することにより、文字や意匠を光により浮かび上がらせること。
・内容物を液体または固体および液体と固体の混合物とすること。
【産業上の利用可能性】
【００１２】
包装材内部への光の入射量を高めることにより、商品の顧客吸引力を向上させることができる。
【図面の簡単な説明】
【００１３】
【図１】本考案の一実施形態を表す図
【図２】芳香剤を収納した包装材
【図３】投光装置
【符号の説明】
【００１４】
１      包装材
２      包装材底部
３      固定皿
４      芳香剤
５      ガラスビン
６      液体芳香剤原液
７      投光装置
８      樹脂製外板
９      光源
【図１】
0003103333.tif 000003
【図２】
0003103333.tif 000004
【図３】
0003103333.tif 000005
【手続補正書】
【提出日】平成16年3月17日(2004.3.17)
【手続補正１】
【補正対象書類名】実用新案登録請求の範囲
【補正対象項目名】全文
【補正方法】変更
【補正の内容】
【実用新案登録請求の範囲】
【請求項１】
箱状包装材の底部が光を透過可能な部材から成ることを特徴とする包装材
【請求項２】
箱状包装材が樹脂製の組立可能な箱状包装材であることを特徴とする請求項１に記載の包装材
【手続補正２】
【補正対象書類名】明細書
【補正対象項目名】全文
【補正方法】変更
【補正の内容】
【考案の詳細な説明】
【技術分野】
【０００１】
この考案は、例えば芳香剤や化粧品等を収容するために使用される包装材に関するものである。
【背景技術】
【０００２】
従来、芳香剤や化粧品を収容する容器としては、ガラスや合成樹脂製の容器が使用されている。容器の外観には種々の意匠上の工夫が施されていることから、商品が販売目的で展示される場合であっても、外部から容器を可視可能とする目的で様々な包装材が提案されている。
【考案の開示】
【考案が解決しようとする課題】
【０００３】
ところが、包装材は商品以外にも商品に添付される書面を内包したり、包装材自体に商品の特徴や説明および法令上必要な表示が印刷されている。このため、たとえ包装材が透明な素材であっても、その一部は光を透過することができない状態となり、包装材内部に入射する光が減少し、結果として包装材内部の商品を可視可能とし商品の顧客吸引力を向上させる効果が減縮している。
【０００４】
この考案は、上記のような従来技術に存在する問題点に着目してなされたものである。その目的とするところは、包装材内部への光の入射量を高めて商品の顧客吸引力を向上させることができる包装材を提供することにある。
【課題を解決するための手段】
【０００５】
上記の目的を達成するために、本考案では、箱状包装材の底部が光を透過可能な部材から成る。
【考案の効果】
【０００６】
本考案の包装材は、箱状包装材の底部が光を透過可能な部材から成るため、これと投光装置を併用することにより、包装材内部への光の入射量を高めて商品の顧客吸引力を向上させることができる。
【考案を実施するための最良の形態】
【０００７】
以下にこの発明を具体化した一実施形態に基づいて詳細に説明する。
【実施例１】
【０００８】
図２に示すように、包装材１は、樹脂製の組立可能な箱状包装材であり、内容物を収納することができる。箱状包装材底部２は、光を透過可能な部材から成り、商品の収納時に商品固定皿３などが必要な場合には、これらも光を透過可能な部材から成る。
本実施例では、包装材に芳香剤４が収納されている。芳香剤の本体は透明なガラスビン５であり、さらにその中には透明な液体芳香剤原液６が収容されている。
一方、図３には、投光装置が図示されている。投光装置７は樹脂製外板８により覆われており、中には光源が備えられている。本投光装置では、装置上部へ投光するために、樹脂製外板の上面が透明となっている。
【０００９】
本実施例の使用状態が、図１に示されている。商品を収納した包装材は、投光装置上に配置される形で展示される。光源の電源スイッチが入ると、光源から発生した光は投光装置の樹脂製外板、箱状包装材底部および固定皿の順に通過し、上部に置かれた包装材に収容された芳香剤を照らし出す。
容器であるガラスビン５と内容物である液体芳香剤原液６が共に透明である場合には、光源から発射された光は、芳香剤の内部まで入射するため、より一層効果的に芳香剤を際だたせることができる。
【００１０】
なお、本考案においては、包装材およびこれと併用する投光装置を次のように変更して構成することもできる。
・箱状包装材の底部以外の部位の一部を透明または不透明とすることにより、効果的に被包装物を視認させたり、文字や意匠を光により浮かび上がらせること。
・複数の包装材を上部に配置できるよう、投光装置の大きさや形状を変更すること。
・光源を、蛍光灯、発光ダイオード、白熱電球等の内から選ばれる少なくとも一つのものに変更すること。
・投光装置の樹脂製外板をガラス製に変更したり、着色したりして光の質を変化させること。
・光源の電源として、電池を使用すること。
・電源と光源の間にリレー、タイマーまたはプログラム制御可能なスイッチ等を配し、光源の発光時間、発光間隔または複数の光源間の発光順等を制御すること。
【００１１】
また、本考案においては、被包装物である容器または内容物を次のように変更して構成することもできる。
・容器または内容物の少なくとも一方のうち、その一部を不透明とすることにより、文字や意匠を光により浮かび上がらせること。
・容器または内容物の少なくとも一方のうち、その一部を着色することにより、文字や意匠を光により浮かび上がらせること。
・内容物を液体または固体および液体と固体の混合物とすること。
【産業上の利用可能性】
【００１２】
包装材内部への光の入射量を高めることにより、商品の顧客吸引力を向上させることができる。
【図面の簡単な説明】
【００１３】
【図１】本考案の一実施形態を表す図
【図２】芳香剤を収納した包装材
【図３】投光装置
【符号の説明】
【００１４】
１      包装材
２      箱状包装材底部
３      固定皿
４      芳香剤
５      ガラスビン
６      液体芳香剤原液
７      投光装置
８      樹脂製外板
９      光源
【手続補正３】
【補正対象書類名】図面
【補正対象項目名】図１
【補正方法】変更
【補正の内容】
【図１】
0003103333.tif 000006
【手続補正４】
【補正対象書類名】図面
【補正対象項目名】図２
【補正方法】変更
【補正の内容】
【図２】
0003103333.tif 000007